(57)【特許請求の範囲】
【請求項１】
分岐接続器要素のミス係合を防止する装置であって、
分岐接続器のプラグ要素(54)と、
分岐接続器のリセプタクル要素(34)であって該リセプタクル要素と前記プラグ要素(54)とが正確に整列されたとき係合されるリセプタクル要素(34)と、
前記リセプタクル要素(34)と前記プラグ要素(54)とを係合させるために前記分岐接続器要素と共同する第１の整列手段であって少なくとも１つの枢軸ピン(20)および該枢軸ピン(20)と共同しかつ該枢軸ピン(20)に対して同心的に配置された第１の段状案内面(50)を備える第１の整列手段と、
前記リセプタクル要素(34)と前記プラグ要素(54)とを係合させるために前記分岐接続器要素と共同する第２の整列手段であって少なくとも１つの枢軸用スロット(18,18’)および該枢軸用スロット(18,18’)と共同する第２の段状案内面(32)を備える第２の整列手段とを含み、
前記第１及び第２の段状案内面(50及び32)は、それぞれ、第１及び第２の段部(50a及び32a)を有し、
前記第１の段状案内面(50)は、前記枢軸ピン(20)が前記枢軸用スロット(18,18’)に完全に受け入れられたとき、対応する第２の段状案内面(32)に同心的に組み合わされて前記分岐接続器要素の相対的回転を可能にし、
前記第１の段状案内面(50)の第１の段部(50a)は、前記枢軸ピン(20)が前記枢軸用スロット(18,18’)に完全に受け入れられていないとき、前記分岐接続器要素相互の係合に先立って前記対応する第２の段状案内面(32)の第２の段部(32a)に接して前記分岐接続器要素が正確に整列することを確実にする、分岐接続器要素のミス係合防止装置。
【請求項２】
前記同心的に組み合わされた第１及び第２の段状案内面(50,32)は、前記枢軸ピン(20)が前記枢軸用スロット(18,18’)に完全に受けられたとき、前記分岐接続器要素を相互に係合させる第１の方向への前記分岐接続器要素の相対的回転を可能にする、請求項１に記載の装置。
【請求項３】
前記プラグ要素(54)は複数のピン接触子を有し、前記リセプタクル要素(34)は複数のソケット接触子を有し、前記第１の方向への前記分岐接続器要素の相対的回転は前記ピン接触子と前記ソケット接触子とが電気的に順次接触することを可能にする、請求項２に記載の装置。
【請求項４】
前記同心的に組み合わされる第１及び第２の段状案内面(50,32)は、前記枢軸ピン(20)が前記枢軸用スロット(18,18’)に完全に受けられたとき、前記分岐接続要素相互との係合を解除させる第２の方向への前記分岐接続器要素の相対的回転を可能にする、請求項１に記載の装置。
【請求項５】
前記プラグ要素(54)は複数のピン接触子を有し、前記リセプタクル要素(34)は複数のソケット接触子を有し、前記第２の方向への前記分岐接続器要素の相対的回転は前記ピン接触子と前記ソケット接触子との電気的接触が順次解除されることを可能にする、請求項４に記載の装置。
【請求項６】
前記第１の整列手段は前記分岐接続器要素の１つを取り付けるために寸法付けられたハウジング(44)を有し、該ハウジング(44)は前記第１の整列手段のために２つの前記第１の段状案内面(50)及び２つの前記枢軸ピン(20)を提供し、前記２つの第１の段状案内面(50)及び前記２つの枢軸ピン(20)はそれぞれ前記第２の整列手段の２つの対応する第２の段状案内面(32)及び２つの対応する枢軸用スロット(18,18’)に受けられて組み合わされる、請求項１に記載の装置。
【請求項７】
前記ハウジング(44)は、前記第２の整列手段に支持されている、請求項６に記載の装置。
【請求項８】
前記ハウジング(44)は、前記プラグ要素(54)を取り付けるために寸法付けられている、請求項７に記載の装置。
【請求項９】
前記ハウジング(44)は、前記リセプタクル要素(34)を取り付けるために寸法付けられている、請求項７に記載の装置。
【請求項１０】
前記第２の整列手段は前記分岐接続器要素の１つを含む実装組立体(12)を含み、該実装組立体は、前記第２の整列手段の２つの第２の段状案内面(32)及び２つの枢軸用スロット(18,18’)を提供し、前記２つの第２の段状案内面(32)及び前記２つの枢軸用スロット(18,18’)はそれぞれ前記第１の整列手段の２つの対応する第１の段状案内面(50)及び２つの対応する枢軸ピン(20)に同心的に組み合わされる、請求項１に記載の装置。
【請求項１１】
前記実装組立体(12)は、前記第１の整列手段を支持している、請求項１０に記載の装置。
【請求項１２】
前記実装組立体(12)は、前記リセプタクル要素(34)を含む、請求項１１に記載の装置。
【請求項１３】
前記実装組立体(12)は、前記プラグ要素(54)を含む、請求項１１に記載の装置。
【請求項１４】
実装組立体(12)と、プログラマブル・ロジック・コントローラ・モジュール(14,14’,14”)とを含む、モジュール式プログラマブル・ロジック・コントローラ装置であって、
前記実装組立体(12)は、分岐接続器のリセプタクル要素(34)を有しており、
前記プログラマブル・ロジック・コントローラ・モジュール(14,14’,14”)は、分岐接続器のプラグ要素(54)を有しており、
前記実装組立体(12)と前記プログラマブル・ロジック・コントローラ・モジュール(14,14’,14”)とは、分岐接続器要素のミス係合を確実に防止するために相互作用をするように形成されており、
前記プログラマブル・ロジック・コントローラ・モジュール(14,14’,14”)は、枢軸ピン(20)と、該枢軸ピン(20)と共同しかつ該枢軸ピン(20)と同心的に配置された、第１の段部(50a)を有する第１の段状案内面(50)とを備え、
前記実装組立体(12)は、第２の段部(32a)を有する第２の段状案内面(32)と枢軸用スロット(18,18’)とを備えており、
前記第１の段状案内面(50)および前記枢軸ピン(20)は、前記実装組立体(12)の前記第２の段状案内面(32)および前記枢軸用スロット(18,18’)に対応されており、
前記第１の段状案内面(50)は、前記枢軸ピン(20)が前記枢軸用スロット(18,18’)に完全に受け入れられたとき、対応する第２の段状案内面(32)に同心的に組み合わされて前記分岐接続器要素の相対的回転を可能にし、
前記第１の段状案内面(50)の第１の段部(50a)は、前記枢軸ピン(20)が前記枢軸用スロット(18,18’)に完全に受け入れられていないとき、前記分岐接続器要素相互の係合に先立って前記対応する第２の段状案内面(32)の第２の段部(32a)に接して前記分岐接続器要素のミス係合を防止し、それによって前記分岐接続器要素が正確に整列することを確実にする、モジュール式プログラマブル・ロジック・コントローラ装置。
【請求項１５】
前記第１及び第２の段状案内面(50,32)は、前記枢軸ピン(20)が前記枢軸用スロット(18,18’)に完全に受けられたとき、前記分岐接続器要素を相互に係合させる第１の方向への前記分岐接続器要素の相対的回転を可能にすべく同心的に組み合わされる、請求項１４に記載の装置。
【請求項１６】
前記プラグ要素(54)は複数のピン接触子を有し、前記リセプタクル要素(34)は複数のソケット接触子を有し、前記第１の方向への前記分岐接続器要素の相対的回転は前記ピン接触子と前記ソケット接触子とが電気的に順次接触することを可能にする、請求項１５に記載の装置。
【請求項１７】
前記第１及び第２の段状案内面(50,32)は、前記枢軸ピン(20)が前記枢軸用スロット(18,18’)に完全に受けられたとき、前記分岐接続要素相互との係合を解除させる第２の方向への前記分岐接続器要素の相対的回転を可能にすべく同心的に組み合わされる、請求項１４に記載の装置。
【請求項１８】
前記プラグ要素(51)は複数のピン接触子を有し、前記リセプタクル要素(34)は複数のソケット接触子を有し、前記第２の方向への前記分岐接続器要素の相対的回転は前記ピン接触子と前記ソケット接触子との電気的接触が順次解除されることを可能にする、請求項１７に記載の装置。
【発明の詳細な説明】
【０００１】
【産業上の利用分野】
本発明は、分岐接続器要素を正確に整列させかつ係合させることを保証することに関し、特に分岐接続器要素が正確に整列されないときに分岐接続器要素のミス係合を確実に防止する装置に関する。
【０００２】
【従来の技術】
分岐接続器(multipoint connector)を使用することは、電気接続の分野において知られている。このような使用は、分岐接続器の通常の雄型要素すなわちプラグ要素と分岐接続器の通常の雌型要素すなわちリセプタクル要素の間で複数の電気信号を伝達することを許す。もちろん、これらの電気信号の伝達をするためには、分岐接続器のプラグ要素とリセプタクル要素とを正確に整列させかつ係合させなければならない。
【０００３】
従来、分岐接続器の正確な整列および正確な係合を確実に保証するためのいくつかの手法が使用されている。例えば、米国特許第４，２５７，６６５号には、分岐接続器のプラグ要素に形成されたアパーチュアに適合される湾曲した枢軸面を有する突出アームを分岐接続器要素のリセプタクル要素に設けた技術が記載されている。突出アームは、アパーチュアを通して挿入されるとき、正確な整列および係合を確実に保証するように、リセプタクル要素とプラグ要素との間の枢軸運動を案内する。また、米国特許第３，６６８，６０５号には、分岐接続器のリセプタクル要素により提供される一対の整列スロットおよび開口に適合される枢軸ピンおよび整列舌片を分岐接続器のプラグ要素に設けた技術が記載されている。整列舌片の角度は、開口に挿入されたとき、枢軸ピンが整列スロットに堅固に収容される値であり、それにより接続器要素の正確な整列および係合を確実に保証する。
【０００４】
【解決しようとする課題】
上記の両米国特許は、分岐接続器要素の正確な整列および係合を確実に保証する有効な技術ではあるが、分岐接続器要素が不正確に整列されたとき、分岐接続器要素のミス係合確実に防止する技術を記載していない。
【０００５】
従って、本発明の主たる目的は、分岐接続器要素が正確に配置されないとき、分岐接続器要素のミス係合を確実に防止する単純で効果的な手段を提供することにある。
【０００６】
本発明の他の目的は、分岐接続器要素の電気的接続の係合およびその解除をそれぞれ順次的に行なうことができる手段を提供することにある。
【０００７】
【解決手段、作用、効果】
本発明は、分岐接続器要素が正確に整列されないときに、分岐接続器要素のミス係合を確実に防止する装置に向けられる。このようなミス係合の防止は、公知技術と同様に、分岐接続器要素が不正確に整列されたとき、枢軸ピンを枢軸用スロット内に受けさせることにより行なわれる枢軸作用を、分岐接続器要素の係合を停止させるように作用する２対の釣合同心案内面と関連付けることにより、実現される。釣合同心案内面は、段付けされている点でユニークであり、それにより接続器要素が正確に配置されないとき歩進を妨げることにより接続器要素の枢軸作用を停止させる。
【０００８】
両対のユニークな釣合同心案内面は同様に形成されており、第１の段状案内面は共同するプラグ型の分岐接続器要素を有するハウジングに形成されており、第２の段状同心案内面は共同するリセプタクル型の分岐接続器要素を有する実装組立体に形成されている。ハウジングは一対の枢軸ピンを備えており、実装組立体は対応する一対の枢軸用スロットを備えている。このため、プラグ要素とリセプタクル要素との間またはハウジングと実装組立体との間の枢軸作用は、枢軸ピンを枢軸用スロット内に受けさせることにより、行なわれる。しかし、枢軸ピンが枢軸用スロット内に完全に受けられたときだけ、ユニークな釣合同心案内面の段部は接続器要素の係合を許し、それにより正確に整列されるまでミス係合を確実に防止する。
【０００９】
本発明の他の目的および利点は、請求の範囲および図面に関連する以下の詳細な説明から明らかとなろう。
【００１０】
【実施例】
図１を参照するに、以下に述べる本発明の概念の１つの実際的な使用例であるモジュール式のプログラマブル・ロジック・コントローラ（ＰＬＣ）装置１０の一部分が示されている。ＰＬＣ装置１０の一部分は、実装組立体１２と３つのＰＬＣモジュール１４，１４’１４”とに分けることができる。一般に、実装組立体１２は、固定的であり、また携帯可能の３つのＰＬＣモジュール１４，１４’，１４”を支持する。実装組立体１２は、また、３つの追加のＰＬＣモジュールを図示の３つのＰＬＣモジュール１４，１４’，１４”の右側の３つの空間１６，１６’，１６”に支持することができる。しかし、３つの追加のＰＬＣモジュールは、図面を明瞭にする目的で図示していない。
【００１１】
３つのＰＬＣモジュール１４，１４’，１４”は、単純な枢軸ピンおよび枢軸用スロットの配列により実装組立体１２に支持される。各ＰＬＣモジュール１４，１４’，１４”は２つの共同する枢軸ピン２０を有しており、実装組立体１２はそれぞれがＰＬＣモジュールの少なくとも１つの枢軸ピン２０を支持する複数の枢軸用スロット１８，１８’を備える。従って、実装組立体１２の枢軸用スロット１８，１８’は、ＰＬＣモジュール１４，１４’，１４”の枢軸ピン２０、ひいてはＰＬＣモジュール１４，１４’，１４”自体を支持する。外側の各枢軸用スロット１８’は、これが単一の枢軸ピン２０を支持するだけであるから、内側の枢軸用スロットのスロット領域のほぼ２分の１のスロット領域を有する。
【００１２】
単純な枢軸ピン２０および枢軸用スロット１８，１８’の配列は、本発明に従って、実装組立体１２とＰＬＣモジュール１４，１４’，１４”との間に形成された釣合同心案内面２２により高められる。より具体的に説明すると、枢軸ピン２０および枢軸用スロット１８，１８’の配列と釣合同心案内面２２との組合せは、分岐接続器要素が正確に整列されないとき、分岐接続器要素のミス係合を確実に防止するように作用する。
【００１３】
図２を参照するに、図１に示す実装組立体１２が分解して示されている。実装組立体１２は、バック・プレート２４と、取付レール２６と、背面印刷回路基板２８と、種々の取付ハードウエア３０とを含む。取付レール２６は、図１に示すようにＰＬＣモジュール１４，１４’，１４”を支持するための枢軸用スロット１８，１８’を備える。各段状案内面３２は、枢軸用スロット１８，１８’と共同し、またＰＬＣモジュール１４，１４’，１４”の１つの段状案内面５０の１つと組み合わされたとき本発明の釣合同心案内面２２の１つを形成する。
【００１４】
背面印刷配線基板２８は、各種の取付ハードウエア３０により、取付レール２６にひいてはバックプレート２４に固定される。分岐接続器の複数のリセプタクル型の要素すなわちリセプタクル要素３４は、背面印刷回路基板２８と共同する。これらのリセプタクル要素３４は、実装組立体１２が完全に組み立てられたとき、１つのリセプタクル要素３４が隣接する枢軸用スロット１８，１８’および段状案内面３２の突出部間に配置されるように、背面印刷回路基板２８に配置される。このため、各リセプタクル要素３４は、ＰＬＣモジュール１４，１４’，１４”が配置される場所に配置される。従って、簡潔に示すように、各リセプタクル要素３４は、ＰＬＣモジュール１４，１４’，１４”が正確に整列されたとき、すでに配置されたＰＬＣモジュール１４，１４’，１４”の１つの対応するプラグ型の要素すなわちプラグ要素５４（図７参照）と釣り合わされる。
【００１５】
図３を参照するに、取付レール２６の正面図が示されている。図４は、図３に示す取付レールの断面図であって、枢軸用スロット１８，１８’および段状案内面３２の詳細を示す。また図４には、図２に示すように、取付レール２６を対応する支持用開口３８を介して固定する支持ブラケット３６が示されている。
【００１６】
図５を参照するに、図１に示すＰＬＣモジュール１４，１４’，１４”の１つ１４が分解して示されている。入出力（Ｉ／Ｏ）タイプのＰＬＣモジュール１４は、前部ドア・パネル４０と、Ｉ／Ｏコネクタ４２と、ハウジング４４と、Ｉ／Ｏ印刷回路基板組立体４６と、後部パネル４８とを含む。ハウジング４４は、図１に示すように取付レールの枢軸用スロット１８，１８’に支持される枢軸ピン２０を備える。各枢軸ピン２０と共同する段状案内面５０は、枢軸用スロット１８，１８’の１つと共同するすでに述べた対応する段状案内面３２と釣り合わされる。図６の（Ａ），（Ｂ）および（Ｃ）を参照するに、ハウジング４４が枢軸ピン２０および段状案内面５０と共に詳細に示されている。
【００１７】
図５に示すように、印刷回路基板組立体４６は、モジュール１４が後部パネル４８によりハウジング４４内に固定されている。印刷回路基板組立体４６に対するアクセスは、それがハウジングに固定されたとき、前部ドア・パネル４０を開放し、コネクタ４２を通して、または後部パネル４８の開口５２を通して行なうことができる。後部パネル４８の開口５２は、図７の（Ａ）および（Ｂ）に示す分岐接続器のプラグ要素５４による印刷回路基板組立体４６に対するアクセスを提供する。
【００１８】
図７の（Ａ），（Ｂ）および（Ｃ）を参照するに、印刷回路基板組立体４６は、前記したコネクタ４２と結合される複数の電気的フィンガーコンタクト５８を有する印刷回路基板５６と、接地クリップ６０と、発光ダイオード（ＬＥＤ）表示モジュール６２と、分岐接続器のプラグ要素５４とを含む。プラグ要素５４は、その内部ピン接触子が図５に示す後部パネル４８の開口５２を介して外に向くように、印刷回路基板５６に配置されている。印刷回路基板５６の部位６４は、要素を取り付けない領域を示す。
【００１９】
先の図および説明、特に、枢軸用スロット１８，１８’および段状案内面３２を有する実装組立体１２と、枢軸ピン２０および対応する段状案内面５０を有するＩ／Ｏ型ＰＬＣモジュール１４を詳細に述べる。実装組立体１２は分岐接続器のリセプタクル要素３４を有するのに対し、ＰＬＣモジュール１４は分岐接続器のプラグ要素５４を有する。しかし、本発明は、実装組立体１２またはＰＬＣモジュール１４のいずれと共同する分岐接続器要素のタイプに制限されない。
【００２０】
図８〜図１８を参照するに、本発明に従って、分岐接続器要素を正確に整列させかつ係合させる正しい手順の一連の詳細なステップを示す。図８を参照するに、分岐接続器のリセプタクル要素３４と共に、枢軸用スロット１８および段状案内面３２を有する取付レール２６の破断した部位と、分岐接続器のプラグ要素５４と共に、枢軸ピン２０および段状案内面５０を有するＰＬＣモジュールのハウジジング４４の破断した部位とが示されている。
【００２１】
図８〜図１２の一連のステップにおいて、枢軸ピン２０は、段状案内面３２，５０の段部３２ａ，５０ａが互いに当接するまで、取付レール２６のリップ部６６に沿って水平方向に進められる。この時点では、接続器の要素３４，５４は、これらが正確に整列されていないので、係合することを禁止される。それゆえに、それらの不整列のためにそれらの係合が確実に防止される。
【００２２】
しかし、正確な整列および引き続く係合は、枢軸ピン２０が枢軸用スロット１８に完全に受け入れられるまで、段状案内面３２，５０が接触する位置に沿って半径方向外向きにＰＬＣのハウジング４４を動かすことによりなされる。このような調整の詳細な一連のステップを図１２〜図１６に示す。図１６を特に参照するに、枢軸ピン２０は枢軸用スロット１８に完全に受けられており、また段状案内面３２，５０の段部３２ａ，５０ａはもはや接続器の要素３４，５４の係合を禁止するようには当接しない。このため、接続器の要素３４，５４は、段状案内面３２，５０の同心性により決められる、角度的係合接近を続けることにより自由に係合させることができる。この角度的係合接近を図１６〜図１８の一連のステップで詳細に示す。図１８は、完全に係合された接続器の要素３４，３５を示す。図１９は、不整列のために分岐接続器要素３４，５０のミス係合を確実に防止するように作用する他の概要を示す。
【００２３】
図１６〜図１８に詳細に示す角度的係合の試みは、分岐接続器要素のミス係合を確実に防止する本発明方法の追加の利点を提供する。この追加の利点は、分岐接続器のプラグ要素５４とリセプタクル要素３４との間の角度的回転接近のために、プラグ要素５４のピン接触子６８とリセプタクル要素３４のソケット接触子７０との間の電気的接続が順次に行なわれ、それにより先ず枢軸ピン２０に最も近いピン接触子６８およびソケット接触子７０が最初に電気的に接続される。このような一連の電気的接続の状態を図１６〜図１８に示す。図１６においては、ピン接触子およびソケット接触子の単一の対が電気的に接続されているのに対し、図１８においてはピン接触子およびソケット接触子の全ての対７２が電気的に接続されている。このような電気的接続の順序は、他に先だって電気信号の送受信を確実に行なうことができる利点がある。
【００２４】
本発明は、また、分岐接続器要素３４，５４の係合を外すとき、プラグ要素５４のピン接触子６８とリセプタクル要素３４のソケット接触子７０との間の電気的接続の遮断が順次生じるという同様の追加の利点を提供する。同様に、このような電気的接続の遮断の順序は、他の電気的接続が遮断された後の電気信号の送受信を確実に行なうことができる利点がある。電気的接続およびその解除の順序に関する追加の利点は、本発明により確実に提供される。
【００２５】
上記のように本発明の目的は効果的に達成され、また本発明の範囲を逸脱することなしに上記の装置を変更することができ、従って本発明は上記の実施例に限定されない。
【図面の簡単な説明】
【図１】正確に配置されないとき分岐接続器要素のミス係合を確実に防止する本発明の概念を組み込んだモジュール式プログラマブル・ロジック・コントローラ（ＰＬＣ）装置の一部の斜視図である。
【図２】図１のモジュール式ＰＬＣ装置に対応する実装組立体の分解斜視図である。
【図３】図２の３−３線に沿って得た取り付けレールの正面図である。
【図４】図３の４−４線に沿って得た取り付けレールの断面図である。
【図５】図１のモジュール式ＰＬＣ装置に対応するＰＬＣモジュールの分解斜視図である。
【図６】ＰＬＣモジュールのハウジングを示す図であって図６（Ａ）は図６（Ｂ）の６Ａ−６Ａ線に沿って得た左側面図、（Ｂ）は図６（Ａ）または図６（Ｃ）の６Ｂ−６Ｂ線に沿って得た正面図、図６（Ｃ）は図６（Ｂ）の６Ｃ−６Ｃ線に沿って得た右側面図である。
【図７】ＰＬＣモジュールの印刷回路基板組立体を示す図であって図７（Ａ）は図７（Ｂ）の７Ａ−７Ａ線に沿って得た左側面図、図７（Ｂ）は図７（Ａ）または図７（Ｃ）の７Ｂ−７Ｂ線に沿って得た正面図、図７Ｃは図７Ｂの７Ｃ−７Ｃ線に沿って得た右側面図である。
【図８】本発明に従って分岐接続要素を正確に整列させかつ係合させる正しい手法の詳細な一連のステップの第１ステップを示す図である。
【図９】前記詳細な一連のステップの第２ステップを示す図である。
【図１０】前記詳細な一連のステップの第３ステップを示す図である。
【図１１】前記詳細な一連のステップの第４ステップを示す図である。
【図１２】前記詳細な一連のステップの第５ステップを示す図である。
【図１３】前記詳細な一連のステップの第６ステップを示す図である。
【図１４】前記詳細な一連のステップの第７ステップを示す図である。
【図１５】前記詳細な一連のステップの第８ステップを示す図である。
【図１６】前記詳細な一連のステップの第９ステップを示す図である。
【図１７】前記詳細な一連のステップの第１０ステップを示す図である。
【図１８】前記詳細な一連のステップの最終ステップを示す図であって本発明により分岐接続要素を正確に係合させた状態を示す図である。
【図１９】本発明により分岐接続要素のミス係合を確実に防止した１つの状態を示す図である。
【符号の説明】
１０  ＰＬＣ装置
１２  実装組立体
１４，１４’，１４”  ＰＬＣモジュール
１８，１８’  枢軸用スロット
２０  枢軸ピン
２２  同心案内面
３２，５０  段状案内面
３４  リセプタクル要素
４４  ハウジング
５４  プラグ要素
【図１】
0003742663.tif 000002
【図２】
0003742663.tif 000003
【図３】
0003742663.tif 000004
【図４】
0003742663.tif 000005
【図５】
0003742663.tif 000006
【図６】
0003742663.tif 000007
【図７】
0003742663.tif 000008
【図８】
0003742663.tif 000009
【図９】
0003742663.tif 000010
【図１０】
0003742663.tif 000011
【図１１】
0003742663.tif 000012
【図１２】
0003742663.tif 000013
【図１３】
0003742663.tif 000014
【図１４】
0003742663.tif 000015
【図１５】
0003742663.tif 000016
【図１６】
0003742663.tif 000017
【図１７】
0003742663.tif 000018
【図１８】
0003742663.tif 000019
【図１９】
0003742663.tif 000020